(57)【特許請求の範囲】
【請求項１】
宝石と、宝石を保持するホルダーとを備えており、ホルダーは、宝石を入れて保持する保持孔をほぼ中央に有し且つ少なくとも上下に３枚以上重ねて配置する各リング状部材と、各リング状部材の保持孔を挟んだ両側部に設ける通し孔に挿通して各リング状部材を拘束する拘束部材とを有しており、各リング状部材は、重ねて最上と最下に配置する両リング状部材が宝石のガードルを上下に挟む位置にあるとともに、保持孔の孔径が宝石のガードルよりも小さく形成してあり、重ねて最上と最下に配置する両リング状部材で挟む他のリング状部材の保持孔の孔径が宝石のガードルの径とほぼ一致することを特徴とする装身具。
【請求項２】
ホルダーは、重なった最上と最下に配置する両リング状部材で挟む他のリング状部材の数が、宝石のカットや大きさにより増減自在に調整できることを特徴とする請求項１記載の装身具。
【請求項３】
ホルダーは、重なった最上と最下に配置する両リング状部材で挟む他のリング状部材が複数配置してあるとき、保持孔の孔径が、宝石の外周の傾斜に沿って段階的に相違していることを特徴とする請求項２記載の装身具。
【請求項４】
拘束部材は、個々のリング状部材が各リング状部材の重なり方向および径方向の所定範囲内で移動できるように拘束していることを特徴とする請求項１、２または３記載の装身具。
【請求項５】
ホルダーは、各リング状部材の一または全ての外周縁部に装飾が施してあることを特徴とする請求項１、２、３または４記載の装身具。
【発明の詳細な説明】
【技術分野】
【０００１】
本発明は、ネックレスや指輪に代表される装身具に関するものである。
【背景技術】
【０００２】
宝石を具備する装身具のうち、特にネックレスやブレスレット、アンクレットなどは、鎖状に連続して連結する態様であることから、連結手段として宝石を保持するホルダーが必要である。そして、上記のホルダーは具体的に、基台から突出する複数の爪部で宝石を係止させて保持するものが主流であるが、近年、様々な宝石の保持手段を有する装身具が発表されている。
【先行技術文献】
【特許文献】
【０００３】
特開平１０−３２３２０９号公報
特開２００３−０８８４０８号公報
【発明の概要】
【発明が解決しようとする課題】
【０００４】
上記の各特許文献に開示されるような装身具では、宝石を金属板で上下に挟んだり、あるいは、宝石を凹凸の割型に嵌め込む態様をなすものであるから、単に宝石を２つの部品で挟んで保持するものに留まってしまい、多様なカットや大きさがある宝石の一つ一つには精度よく対応できず、ホルダーによる宝石の堅牢で且つ確実な保持がなされないことから、身に付けたときの不可抗力的な衝撃や身体の動きに伴う変形力、あるいは、経年使用によるホルダーを構成する２部品間の接合部材の劣化などでホルダーから宝石が離脱する欠点が解消されていない。
【０００５】
本発明は上記課題を鑑みてなされたものであり、多様なカットや大きさの宝石に対応し、身に付けたときの不可抗力や経年の使用で宝石が離脱することなく、ホルダーで堅牢且つ確実に保持できる装身具を提供することにある。
【課題を解決するための手段】
【０００６】
本発明の請求項１記載の発明は、宝石と、宝石を保持するホルダーとを備えており、ホルダーは、宝石を入れて保持する保持孔をほぼ中央に有し且つ少なくとも上下に３枚以上重ねて配置する各リング状部材と、各リング状部材の保持孔を挟んだ両側部に設ける通し孔に挿通して各リング状部材を拘束する拘束部材とを有しており、各リング状部材は、重ねて最上と最下に配置する両リング状部材が宝石のガードルを上下に挟む位置にあるとともに、保持孔の孔径が宝石のガードルよりも小さく形成してあり、重ねて最上と最下に配置する両リング状部材で挟む他のリング状部材の保持孔の孔径が宝石のガードルの径とほぼ一致することを特徴とする。
【０００７】
本発明の請求項２記載の発明では、ホルダーは、重ねて最上と最下に配置する両リング状部材で挟む他のリング状部材の数が、宝石のカットや大きさにより増減自在に調整できることを特徴とする。
【０００８】
本発明の請求項３記載の発明では、ホルダーは、重ねて最上と最下に配置する両リング状部材で挟む他のリング状部材が複数配置してあるとき、保持孔の孔径が、宝石の外周の傾斜に沿って段階的に相違していることを特徴とする。
【０００９】
本発明の請求項４記載の発明では、拘束部材は、個々のリング状部材が各リング状部材の重なり方向および径方向の所定範囲内で移動できるように拘束していることを特徴とする。ここで拘束部材は、各リング状部材に挿通して各リング状部材が離脱しないものであればよく、具体的には、スリーブ状金具やリング状金具、あるいは、両端に膨大部を有するリベットなどが挙げられる。
【００１０】
本発明の請求項５記載の発明では、ホルダーは、各リング状部材の一または全ての外周縁部に装飾が施してあることを特徴とする。ここで装飾を施すとは、宝石の保持孔を有するリング状から外れることなく、また、各リング状部材の重なり方向に突出しないものであり、具体的には、リング状部材の外周縁部を加工し、ホルダーを平面視したときに太陽のコロナや葉、あるいは花などがイメージされるものが挙げられる。
【発明の効果】
【００１１】
本発明のうち請求項１記載の発明によれば、宝石の上側と下側からガードルの径よりも保持孔の孔径の小さいリング状部材を配置して宝石を挟み込み、宝石を抜け出し不能に保持するとともに、重ねて最上と最下に配置する両リング状部材間に形成される間隔に、ガードルの径と保持孔の孔径がほぼ一致するリング状部材を配置することにより、挟まれた中間のリング状部材が緩衝して最上と最下に配置する両リング状部材による宝石の保持を安定させることから、装着したときの不可抗力による衝撃に対してもホルダーによる安定的且つ長期的な宝石の保持がなされ、堅牢な装身具を提供できるようになる。
【００１２】
本発明のうち請求項２記載の発明によれば、宝石の上側と下側に孔径の狭いリング状部材を配置して挟み込み、宝石を抜け出し不能に保持するとともに、重ねて最上と最下に配置する両リング状部材間に設けられる間隔に対応した数のリング状部材を配置することで、様々なカットや大きさの宝石を堅牢且つ確実に保持できるようになる。
【００１３】
本発明のうち請求項３記載の発明によれば、宝石の傾斜に沿って各リング状部材の保持孔が対応して保持することから、請求項２記載の発明の効果に加えて一層堅牢な装身具を提供できる
【００１４】
本発明のうち請求項４記載の発明によれば、拘束部材が各リング状部材の重なり方向および径方向の所定範囲内で移動できるように、個々のリング状部材を拘束してあることで、装身具を身に付けたときに加わるホルダーに対する変形力に対応し、各リング状部材が拘束部材を支点とする所定の範囲で個々に独立して移動することから、ホルダーに加わる負荷が拘束部材の周囲に集中することがなく分散され、装身具の安定的な保全が図られる。
【００１５】
本発明のうち請求項５記載の発明によれば、リング状部材または厚み調整リングの外周部に装飾が施してあることで、請求項１〜４記載の発明の効果である製品安定性に加えて、装身具の本来の製品価値となる意匠性の向上が図られる。また、リング状部材が重なる態様を利用することで、各々の装飾の組み合わせによる多彩で且つ斬新な意匠をもつ装身具を提供できる。
【図面の簡単な説明】
【００１６】
【図１】（ａ）は、本実施による装身具の要部を拡大した平面図であり、（ｂ）は、縦断面図である。
【図２】本実施による装身具の組み立て手順を示す斜視図である。
【図３】同じく、本実施による装身具の組み立て手順を示す斜視図であり、（ａ）は、組み立て途中の状態を示すものであり、（ｂ）は、組み立て後の状態を示すものである。
【図４】本発明の他の実施形態（エメラルド）を示すものであり、（ａ）は、要部を拡大した平面図であり、（ｂ）は、縦断面図である。
【図５】本発明の他の実施形態（ホルダーに装飾を施したもの）の組み立て手順を示す斜視図である。
【図６】同じく、図５で示す実施形態の装身具の組み立て手順を示す斜視図であり、（ａ）は、組み立て途中の状態を示すものであり、（ｂ）は、組み立て後の状態を示すものである。
【図７】本実施の他の実施形態（水晶球）を示すものであり、（ａ）は、要部を拡大した平面図であり、（ｂ）は、組み立て後の状態を示すものである。
【発明を実施するための形態】
【００１７】
以下に、図面に基づいて本実施による装身具の実施の形態を説明する。
本実施による装身具は、図１（ａ）（ｂ）のように、宝石１と、ホルダー２とからなっており、ホルダー２同士を後述する拘束部材６で連結することで、ネックレスやブレスレット、あるいはアンクレットなどに転用可能な一続きのチェーンを構成している。そして、宝石１は、本実施ではブリリアントカットのダイヤモンド（宝石）１を使用しており、テーブル１ａと呼ばれる上端の平面部と、ガードル１ｂと呼ばれる中央部の径が最も大きく張り出した部位と、キューレット１ｃと呼ばれる前述したガードル１ｂから次第に中央に窄まっていく下端の尖部とから構成している。
【００１８】
ホルダー２は、ほぼ中央に保持孔３を有し且つ肉厚の薄い複数のリング状部材２ａ〜２ｃと、各リング状部材２ａ〜２ｃを所定の範囲内で移動できる程度に拘束するリング状をなす拘束部材６とを有している。また、各リング状部材２ａ〜２ｃの両側（本実施形態ではほぼ１８０°間隔）に、外側に向けて張り出した連結部４が設けてあり、各連結部４には通し孔５が設けてある。また、拘束部材６は、断面ほぼ円形状の棒材を曲げ加工してスリーブ状に形成したものであり、上下に重ねたリング状部材２ａ〜２ｃの通し孔５に摺動自在となるように拘束部材６を通し、各リング状部材２ａ〜２ｃが離脱しないように拘束するものである。また、各リング状部材２ａ〜２ｃの中央の保持孔３ａ〜３ｃは、個々のリング状部材２ａ〜２ｃで孔径が少しずつ相違しており、ブリリアントカットに加工されたダイヤモンド１の形状に対応したものとなっている。具体的には、本実施のものでは４枚のリング状部材２ａ〜２ｃを上下に重ねて両端をそれぞれ拘束部材６で拘束してホルダー２を構成し、このうち、最上に位置するリング状部材２ａと最下に位置するリング状部材２ｂのそれぞれの保持孔３ａ，３ｂの孔径は、ダイヤモンド１のガードル１ｂの径よりも小さく形成してある。また、中間の２枚のリング状部材２ｃの保持孔３ｃは、ダイヤモンド１のガードル１ｂよりも僅かに大きな孔径となっており、４枚のリング状部材２ａ〜２ｃの保持孔３ａ〜３ｃでダイヤモンド１がホルダー２から離脱しないように保持される。また、拘束部材６は、４枚のリング状部材２ａ〜２ｃの両側にある通し孔５にそれぞれ挿通する。これにより、４枚のリング状部材２ａ〜２ｃは、両側を拘束部材６で拘束されることで、両側の拘束部材６に沿った僅かな移動範囲に留まるとともに、挟まれる２枚のリング状部材２ｃが最上と最下に配置される両リング状部材２ａ，２ｂ間で緩衝し、両リング状部材２ａ，２ｂの拘束部材６を支点とする揺動を小さくすることから、ダイヤモンド１をホルダー２で安定的に保持するとともに、各リング状部材２ａ〜２ｃに大きな負荷をかけずに堅牢な状態を維持できる。
【００１９】
図２と図３（ａ）（ｂ）は、本実施による装身具の組立手順について説明するものである。
第一の手順として、４枚のリング状部材２ａ〜２ｃのうち、最下のリング状部材２ｂと、間に挟める２枚のリング状部材２ｃを重ねる。さらに、３枚のリング状部材２ｂ，２ｃが重なって一致する通し孔５に、両端が離れた状態の拘束部材６の一端６ａを通すとともに、通した後に他端６ｂを一端６ａに当接してスリーブ状にする。ここで、間に挟めるリング状部材２ｃは、ダイヤモンド１のガードル１ｂの厚みによって枚数を変えるものであり、調整用として使用する。
第二の手順として、図３（ａ）のように、上記した第一の手順で３枚重ねたリング状部材２ｂ、２ｃの保持孔３ｂ，３ｃにダイヤモンド１を入れる。このとき、ダイヤモンド１は、最下に配置するリング状部材２ｂの保持孔３ｂよりもガードル１ｂの径が大きいため、ホルダー２から落下することなく保持される。
第三の手順として、最上のリング状部材２ａを拘束部材６に沿って移動し、上記した第二の手順でダイヤモンド１を保持孔３ｂ，３ｃに収めた３枚のリング状部材２ｂ，２ｃに重ねてダイヤモンドをホルダー２の上下両方からの抜け出しを不能とし、さらに、他方の通し孔５に拘束部材６を通して各リング状部材２ａ〜２ｃを離れないようにする。
以上、第一〜第三の手順を経ることにより、本実施による装身具が得られる。
【００２０】
図４（ａ）（ｂ）は、本発明の他の実施形態の装身具であり、具体的には、エメラルド（宝石）１１を具備する装身具について説明するものである。
本実施による装身具では、上記で説明したダイヤモンド１を用いる装身具と相違する構成のみについて説明すると、図４（ａ）のように、ホルダー２２の各リング状部材２２ａ〜２２ｃの保持孔２３の形状がエメラルド１１のエメラルドカットに対応した角丸矩形状をなしており、また、ブリリアントカットの宝石１に比べてガードル１１ｂの厚みがあることから、４枚重ねた中央の２枚のリング状部材２２ｃの両方の保持孔２３ｃの内周壁で、ガードル１１ｂに当接し、さらに、最上と最下の２枚のリング状部材２２ａ，２２ｂに挟まれて宝石１１が保持してある。
【００２１】
図５と図６（ａ）（ｂ）についても、本発明の他の実施形態の装身具を示すものである。
具体的に、本実施による装着具は、図５のように、ホルダー１２を構成する各々のリング状部材１２ａ〜１２ｃの外周縁部１６に太陽のコロナを模した装飾が施されており、各リング状部材１２ａ〜１２ｃのうち、最上と最下のものの保持孔１３ａ，１３ｂの孔径を小さくし、宝石１のガードル１ｂを上下に挟む状態で離脱不能に保持し、最上と最下の両リング状部材１２ａ，１２ｂの間に宝石１のガードル１ｂの径よりも孔径の大きな保持孔１３ｃを有するリング状部材１２ｃを２枚挟んだ構造となっている。また、組み立て手順についても、図６（ａ）に示すように、上記の実施形態と同様、まず、宝石１のガードル１ｂよりも径の大きな孔径を有するリング状部材１２ｃを２枚と、２枚のリング状部材１２ｃの下に配するとともに、宝石１のガードル１ｂよりも径の小さな孔径を有するリング状部材１２ｂとを上下に重ねて配置し、その重なった保持孔１３ｂ，１３ｃに宝石１を載せ、さらに、宝石１のガードル１ｂよりも径の小さい孔径を有するリング状部材２ａを重ね、他方の通し孔１５に拘束部材６を通すことで、ホルダー２に宝石１が保持された装身具を得るものである。
尚、本実施では宝石１としてブリリアントカットのものを使用し、リング状部材１２ａ〜１２ｃを円形状としているが、上記したエメラルドカットの宝石１１を用いてリング状部材２２ａ〜２２ｃを各丸矩形状としてもよく、この場合でも外周縁部１６に装飾を施すことができる。
【００２２】
上記各実施形態では、すべてにおいて４枚のリング状部材２ａ〜２ｃによりホルダー２を構成するものについて説明したが、これに限定されるものではない。例えば、図７（ａ）（ｂ）のように、水晶球（宝石）３１を使用する装身具では、ホルダー３２で保持する水晶球３１の全体が球面をなすことから、水晶球３１の保持後にホルダー３２の保持孔３３内で回転するとともに、水晶球３１のすべての部位がホルダー２に対するガードル１ｂとなる。これに対応してホルダー３２が水晶球３１を保持するためには、リング状部材２ｃの枚数を増やして水晶球３１に当接する範囲を広げる必要がある。そこで、本実施形態では、上記各実施形態と同様に、水晶球３１のガードル３１ｂの径よりも孔径の小さな保持孔３３ａ，３３ｂを有する最上と最下の両リング状部材３２ａ，３２ｂで水晶球３１を挟むが、両リング状部材３２ａ，３２ｂの間に配するリング状部材３２ｃについても、ガードル１ｂよりも孔径の小さな保持孔３３ｃを有するものを配置する。具体的に、調整用に使用する各リング状部材３２ｃについては、保持孔３３ｃの孔径が水晶球３１の球面に沿ってガードル１ｂの径に段階的に近づくように配置されており、ガードル１ｂと対向するリング状部材３２ｃのみがガードル１ｂよりも孔径が大きくなっている。こうすることで、各リング状部材３２ａ〜３２ｃの各々が両側を拘束する拘束部材１６に沿って僅かに移動しながら装着時に生じる衝撃を緩和し、水晶球３１をホルダー３２に無理な負荷をかけることなく保持し続けることができるようになる。
尚、符号３５は、通し孔であり、符号３６は、拘束部材である。
【００２３】
本発明の装身具は、上記の各実施形態で説明したネックレスやブレスレットなどに代表される鎖状に形成される装身具に特に適するものであるが、例えば、拘束部材として指に嵌めるリングなどを用いれば指輪としても適用できるので、装身具の種類を限るものではない。また、ホルダーを構成する最上と最下の両リング状部材については、宝石とともに外部に露出するものであるから、露出面に他の宝石を取り付けるなどの装飾を施すことも可能である。
【符号の説明】
【００２４】
１  ダイヤモンド（宝石）
１ａ  テーブル
１ｂ，１１ｂ，３１ｂ  ガードル
１ｃ  キューレット
２，１２，２２，３２  ホルダー
２ａ，１２ａ，３２ａ  最上のリング状部材
２ｂ，１２ｂ，３２ｂ  最下のリング状部材
２ｃ，１２ｃ，３２ｃ  他のリング状部材
３，３ａ〜３ｃ  １３，１３ａ〜１３ｃ  ３３，３３ａ〜３３ｃ  保持孔
５，１５  通し孔
６，３６  拘束部材
１１  エメラルド（宝石）
３１  水晶球（宝石）
１６  外周縁部
【図１】
0005461164.tif 000002
【図２】
0005461164.tif 000003
【図３】
0005461164.tif 000004
【図４】
0005461164.tif 000005
【図５】
0005461164.tif 000006
【図６】
0005461164.tif 000007
【図７】
0005461164.tif 000008